(57)【要約】【課題】敷布団と床板の接触面にカビが発生しにくく、使用者の健康増進に寄与するベッド及びベッド用床板構造体をを提供する。【解決手段】ベッド１はベッドフレーム２と組子３と簀子４により構成され、ベッドフレーム２に囲まれた内側の空間は床板構造体として、上方に組子３、下方に簀子４を重ねた状態で配置している。白木の桐材で形成した各組子３は外枠３１０と格子枠３２０から構成され、外枠３１０に囲まれた枠内に多数設けられた格子枠３２０は高さ１３ｍｍ、幅３ｍｍであり、その内縁により形成される空間は鋭角と鈍角を有する平行四辺形になるよう形成してある。表面を焼いた桐材で形成した各簀子４は上面板４１０と脚部４２０から構成され、上面板４１０は複数の長板で、脚部４２０は複数の棒状の四角材で構成されており、上面板４１０と脚部４２０は互いに交差する向きに配置されている。【選択図】        図１
2007044169.tif 000002
【特許請求の範囲】
【請求項１】
ベッドフレーム(2)と床板構造体からなるベッド(1)であって、
ベッドフレーム(2)は、表面を焼いた桐材を使用して形成されており、
床板構造体は、組子(3)と簀子(4)を組み合わせたものであって、上側に組子(3)を、下側に簀子(4)を配置するよう構成されており、
組子(3)は、２ｍｍ以上７ｍｍ以下の幅を備える白木の桐材で形成されており、
簀子(4)は、表面を焼いた桐材で形成されていることを特徴とする、
ベッド。
【請求項２】
ベッドフレーム(2)表面は、樹脂系塗剤が塗布されていることを特徴とする、
請求項１記載のベッド。
【請求項３】
組子(3)と簀子(4)を組み合わせたベッド用床板構造体であって、
上側に組子(3)を、下側に簀子(4)を配置するよう構成されており、
組子(3)は、２ｍｍ以上７ｍｍ以下の幅を備える白木の桐材で形成されており、
簀子(4)は、表面を焼いた桐材で形成されていることを特徴とする、
ベッド用床板構造体。
【発明の詳細な説明】
【技術分野】
【０００１】
本発明は、ベッド及びベッド用床板構造体に関する。
更に詳しくは、２ｍｍ以上７ｍｍ以下の枠幅を備える白木の桐材で形成された組子を上側に、表面を焼いた桐材で形成された簀子を下側に配置して構成されたベッド用床板構造体及び該床板構造体を備えるベッドに関する。
【背景技術】
【０００２】
従来、ベッドの床板として、木製の床板や、畳の床板が使用されており、この上に敷布団やマットレスを敷いて使用している。
一般的に、ベッドを使用する場合は就寝時以外の時間も敷布団を敷いたままである場合が多い。このため、敷布団と床板の接触部分の通気性が悪く、敷布団と床板の接触部分にカビが発生しやすいという問題があった。
【０００３】
そこで、下記特許文献１に示すように、複数枚の細板に直径約１５ｍｍの穴を２列に形成し、該床板を隙間を空けて並べて構成される床構造を備えるベッドが提案されている。この考案は、上述した従来のベッドに比べて、床板面の通気性が向上する効果を有している。
【特許文献１】実開平６−１７５４５号
【発明の開示】
【発明が解決しようとする課題】
【０００４】
しかし、特許文献１にかかるベッドであっても、依然として敷布団と床板の接触部分が広く、湿気の多い時期にはカビが発生しやすいという課題があった。
また、上記課題を解決するためには、床板を構成する細板をより細くするという手段も考えられるが、その場合は使用者の体重を支えるための強度が不足するという課題が新たに生じる。
【０００５】
（発明の目的）
そこで、本発明の目的は、敷布団と床板の接触面にカビが発生しにくく、使用者の健康増進に寄与するベッドを提供することにある。
また、本発明の他の目的は、敷布団と床板の接触面にカビが発生しにくく、使用者の健康増進に寄与し、且つ見た目がよいベッドを提供することにある。
更にまた、本発明の他の目的は、敷布団と床板の接触面にカビが発生しにくく、使用者の健康増進に寄与するベッド用床板構造体を提供することにある。
【課題を解決するための手段】
【０００６】
上記目的を達成するために講じた本発明の手段は次のとおりである。
第１の発明にあっては、
ベッドフレームと床板構造体からなるベッドであって、
ベッドフレームは、表面を焼いた桐材を使用して形成されており、
床板構造体は、組子と簀子を組み合わせたものであって、上側に組子を、下側に簀子を配置するよう構成されており、
組子は、２ｍｍ以上７ｍｍ以下の幅を備える白木の桐材で形成されており、
簀子は、表面を焼いた桐材で形成されていることを特徴とする、
ベッドである。
【０００７】
第２の発明にあっては、
ベッドフレーム表面は、樹脂系塗剤が塗布されていることを特徴とする、
第１の発明に係るのベッドである。
【０００８】
第３の発明にあっては、
組子と簀子を組み合わせたベッド用床板構造体であって、
上側に組子を、下側に簀子を配置するよう構成されており、
組子は、２ｍｍ以上７ｍｍ以下の幅を備える白木の桐材で形成されており、
簀子は、表面を焼いた桐材で形成されていることを特徴とする、
ベッド用床板構造体である。
【０００９】
ベッドフレームは、床板構造体を支えるものであり、一般的には、例えばヘッドボード、フットボード、サイドフレーム等のベッドを構成するものを含むが、これに限定するものではない。
【００１０】
樹脂系塗剤は、桐材の木目が現れるように透明あるいは半透明のもの、例えばプレポリマー塗料（寿化工株式会社製品）が好適に使用される。
【００１１】
組子の幅は２ｍｍ以上７ｍｍ以下に形成されており、強度の観点からより好ましくは３ｍｍ以上６ｍｍ以下であり、更により好ましくは３ｍｍ以上５ｍｍ以下である。
【００１２】
（作  用）
本発明に係るベッドの作用を説明する。
使用者は、ベッドに敷布団を敷いて使用する。就寝中に使用者が排出した汗等の水分は敷布団に吸収され、その後、その水分は組子に囲まれた空間から排出され、また、ベッド上面に配置された組子に一部は吸収される。
白木の桐材で形成された組子は調湿作用があるので、吸収された水分は組子の側面から蒸散される。これにより、組子は乾燥した状態に保たれる。
また、上記作用に加えて、組子の幅が細いため敷布団との接触面積が少なく、組子の下に簀子を配置したことで、適度な空間が生じて通気性が良く、敷布団底面が空気に触れて乾燥しやすい。
併せて、組子の下に配置された簀子が組子を支えているので、組子が破損しにくい。
【００１３】
後で説明するが、マイナスイオンの発生を測定したところ、白木の桐材で形成した組子、表面を焼いた桐材で形成した簀子からマイナスイオンが放出されているので、その効果と言われる疲労回復、リラクゼーション、血行促進、頭痛・不眠症・便秘の改善等の等を通じて使用者の健康増進に寄与することが期待できる。
【００１４】
同様に遠赤外線を測定したところ、白木の桐材で形成した組子、表面を焼いた桐材で形成した簀子およびベッドフレームは、表面から遠赤外線を放射しているので、敷布団を中まで乾燥した状態に保つことができると考えられる。また、放射される遠赤外線は、使用者の血行促進、新陳代謝の促進、細胞の活性化等の健康増進に寄与することが期待できる。
【００１５】
ベッドフレームは、表面に樹脂系塗料を塗布してあるので傷が付きにくく、見た目が良い。また、シーツ等に炭化した桐材の汚れが付きにくい。
【発明の効果】
【００１６】
本発明によれば、次の効果を奏する。
（１）床板構造体上面は組子構造であるため敷布団との接触面積が少なく、また、組子の下に簀子を配置したことで床板構造体に適度な空間が生じて通気性が良いために敷布団底面が空気に触れて乾燥しやすく、カビが発生しにくいベッドを提供することができる。併せて、組子の下に配置された簀子は、組子を載置して支えることにより組子の破損を防止する。
加えて、白木の桐材は調湿作用があるため、白木の桐材により形成された組子上面は、接触面から敷布団に含まれる水分を吸収し、吸収された水分は組子側面から蒸散し、組子は乾燥した状態に保たれ、上記効果と相まってカビが発生しにくい。
（２）白木の桐材で形成した組子、表面を焼いた桐材で形成した簀子からマイナスイオンが放出され、その効果と言われる疲労回復、リラクゼーション、血行促進、頭痛・不眠症・便秘の改善等の等を通じて使用者の健康増進に寄与することが期待できる。
（３）白木の桐材で形成した組子、表面を焼いた桐材で形成した簀子およびベッドフレームは、表面から遠赤外線が放射されるため、敷布団を中まで乾燥した状態に保ち、その結果カビが発生しにくい。また、放射される遠赤外線の効果により、使用者の血行促進、新陳代謝の促進、細胞の活性化等の効果が期待できる。
（４）（１）に記載した効果に加えて、ベッドフレームの表面に傷が付きにくく、見た目が良いベッドを提供することができる。また、シーツ等に炭化した桐材の汚れが付きにくい。
（５）（１）に記載した効果のベッド用床板構造体を提供することができる。
【発明を実施するための最良の形態】
【００１７】
本発明の実施の形態を図面に基づき更に詳細に説明する。
図１は本発明に係るベッドの斜視説明図、
図２は本発明に係るベッドの平面図、
図３は本発明に係るベッドの底面図、
図４は本発明に係るベッドの右側面図、
図５は本発明に係るベッドの正面図、
図６は本発明に係るベッドの背面図、
図７は本発明に係るベッドのＡ−Ａ断面図、
図８は本発明に係るベッドのＢ−Ｂ断面図である。
【００１８】
まず図１乃至図６に示すベッド１について説明する。
ベッド１は、ベッドフレーム２と、組子３と、簀子４により構成されており、ベッドフレーム２により囲まれた内側の空間に、床板構造体として、上方に組子３、下方に簀子４が重なった状態で配置されている。なお、本実施の形態では、ベッド１は、組子３が４枚構成であり、簀子４が３枚構成となっている。
【００１９】
図１を参照してベッドフレーム２について説明する。
ベッドフレーム２は表面を焼いた桐材を使用して組み立て可能に形成されており、板状のヘッドボード２１０と、筐体に形成された一対のサイドフレーム２２０とフットボード２３０により構成されている。
ベッドフレーム２は、表面にプレポリマー塗料（寿化工株式会社製品）を塗布してある。
【００２０】
図７及び図８を参照してベッドフレーム２について更に説明する。
ベッドフレーム２のヘッドボード２１０、各サイドフレーム２２０、フットボード２３０により囲まれた内側には、簀子４を載置するための突設部２１１，２２１，２３１が設けられている。
各突設部２１１，２２１，２３１は、ベッドフレーム２に対する高さ方向の厚みが５０ｍｍ、ベッドフレーム２の内側に突設した長さが３５ｍｍに形成されている。また、各突設部２１１，２２１，２３１の長さは、ヘッドボード２１０、各サイドフレーム２２０、フットボード２３０のうち、ベッドフレーム２の内縁を構成するそれぞれの部分の長さとほぼ同等である。なお、各突設部２１１，２２１，２３１は、その最低地上高が１９６ｍｍである。
【００２１】
図１、図２、図７及び図８を参照して組子３について説明する。なお、本実施の形態では、ベッド１に対し、組子３が４枚並べて設置されている。
各組子３は白木の桐材で形成されている。
各組子３は、外枠３１０と格子枠３２０から構成されており、外枠３１０に囲まれた枠内に格子枠３２０が多数設けられている。
各格子枠３２０は、高さ１３ｍｍ、幅３ｍｍである。
各格子枠３２０は、内縁により形成される空間が鋭角と鈍角を有する平行四辺形になるよう形成されており、その平行四辺形の内縁は、一辺が３１ｍｍであり、相対する各鋭角の間隔は５８ｍｍであり、相対する各鈍角の間隔は２４ｍｍである。
【００２２】
図３、図７及び図８を参照して簀子４について説明する。なお、本実施の形態では、ベッド１に対し、簀子４が３枚並べて設置されている。
各簀子４は表面を焼いた桐材で形成されている。
各簀子４は上面板４１０と脚部４２０から構成されており、上面板４１０は複数の長板で、脚部４２０は複数の棒状の四角材で構成されている。前述の複数の上面板４１０と脚部４２０は、互いに交差する向きに配置されている。
上面板４１０は 、長さ６５０ｍｍ、幅５０ｍｍ（両端の幅のみ６０ｍｍ）の複数枚の長板を同方向に平行且つ所要の隙間を空けて配置し、その裏側が脚部４２０の上部に固着してある。
脚部４２０は、長さ７８０ｍｍ、幅１８ｍｍ、高さ５０ｍｍの複数本の棒状体である。
本実施の形態では、各簀子４は、上面板４１０の長さ方向とサイドフレーム２２０の長さ方向とが平行になり、脚部４２０の長さ方向両端部が各サイドフレーム２２０間に渡る向きになるように取り付けられている。
【００２３】
図７及び図８を参照してベッド１の床板構造体について説明する。
ベッドフレーム２のヘッドボード２１０、各サイドフレーム２２０、フットボード２３０により囲まれた内側に設けられた突設部２１１，２２１，２３１の上に、３枚の簀子４がほぼ隙間なく嵌め込まれている。各簀子４は、各突設部２１１，２２１，２３１に載置されている。また、各簀子４は、上面板４１０の長さ方向とサイドフレーム２２０の長さ方向とが平行になり、脚部４２０の長さ方向両端部が各サイドフレーム２２０間に渡る向きになるように取り付けてある。
４枚の組子３は、上記各簀子４の上面板４１０上に載置されている。
組子３及び簀子４が取り付けられた後のベッド１上面は、各サイドフレーム２２０及びフットボード２３０の上面とほぼ面一となっている。
【００２４】
なお、本実施の形態では、ベッド１に対して組子３が４枚、簀子４が３枚並設されているが、この数に限定するものではなく、ベッドの大きさや組子及び簀子の強度等により好適な枚数を使用すればよい。
【００２５】
また、本実施の形態では、組子３は簀子４の上に直接載置されているが、これに限定するものではなく、例えば、晩秋から初春の寒い時期には、不織布に竹炭を挟んで形成したシートを組子３と簀子４の間に挟んでもよい。該シートにより、保温性が高められ、また、内包する竹炭から放射される遠赤外線により、使用者の血行促進、新陳代謝の促進、細胞の活性化等の効果が更に期待できる。
【００２６】
（作  用）
図１を参照して、ベッド１の作用を説明する。
使用者は、ベッド１に敷布団（図示省略）を敷いて使用する。
就寝中に使用者が排出した汗等の水分は敷布団に吸収され、その後、その水分はベッド１上面に配置された組子３の格子枠３２０に囲まれた空間から排出され、また、組子３に一部は吸収される。
白木の桐材で形成された組子３は調湿作用があるので、吸収された水分は組子３を構成する外枠３１０と格子枠３２０の側面から蒸散される。これにより、組子は乾燥した状態に保たれてカビが発生しにくい。
また、上記作用に加えて、組子３の幅が細いため敷布団との接触面積が少なく、組子３の下に簀子４を配置したことで、適度な空間が生じて通気性が良いために敷布団底面が空気に触れて乾燥しやすく、カビが発生しにくい。
【００２７】
以下の条件で組子枠の幅に対するカビの発生時期を測定した。
試験名  ：カビの発生時期
試験日時：平成１７年７月２２日〜８月２日
試験場所：出願人の自社内
１．試料：枠の高さ１５ｍｍ、幅が２ｍｍから１３ｍｍ迄の組子
２．試験方法：所要の大きさの綿布を片栗粉を溶かした水溶液に浸してカビの菌を付けてから上記２ｍｍから１３ｍｍの各組子に載置して、水の入った容器と共に半透明の合成樹脂容器に密閉し、外気温約３０℃の環境下において測定を行った。
測定結果を下記表１に表す。
【００２８】
【表１】
2007044169.tif 000003
【００２９】
上記表１の試験結果から明らかな通り、２ｍｍ〜７ｍｍの組子ではカビは発生せず、８ｍｍ〜１３ｍｍの組子ではカビが発生した。つまり、枠幅が７ｍｍ以下の組子を使用した場合、カビが発生しないか、発生しにくくなることがわかった。
【００３０】
次に、以下の条件で遠赤外線放射率について測定した。
試験名  ：遠赤外線放射率（４０〜２００℃）
試験日時：平成１７年７月４日
試験場所：長崎県窯業技術センター
１．試料：桐、焼桐、木炭
２．試験方法：日本電子株式会社製遠赤外線分光放射計（ＪＩＥ−Ｅ５００）を使用し、ヒーター温度５５℃にて測定を行った。
測定結果を下記表２に表す。
【００３１】
【表２】
2007044169.tif 000004
【００３２】
上記表２の試験結果から明らかな通り、一般的に優れた遠赤外線放射率を備えているといわれる木炭よりも、桐（白木）及び焼桐（表面を焼いた桐材）は更に優れた遠赤外線放射率を備えている。つまり、白木の桐材で形成した組子３、表面を焼いた桐材で形成した簀子４およびベッドフレーム２から放射された遠赤外線により、敷布団を中まで乾燥した状態に保つことができると考えられ、その結果カビが発生しにくくなる。また、放射される遠赤外線は、使用者の血行促進、新陳代謝の促進、細胞の活性化等を通じて健康増進に寄与することが期待できる。
【００３３】
【表３】
2007044169.tif 000005
【００３４】
【表４】
2007044169.tif 000006
【００３５】
【表５】
2007044169.tif 000007
【００３６】
【表６】
2007044169.tif 000008
表３、表４、表５、表６
試験名  ：マイナスイオン検出率
試験日時：平成１７年７月１日、１０日、１１日
試験場所：出願人の自社内
１．試料：無し（容器に何も入れない状態）、桐、焼桐、木炭（備長炭）
２．試験方法：アンデス電機株式会社製ｉｎｔｉ空気イオンカウンターＩＴＣ−２０１Ａを使用し、上記試料をほぼ同量ずつ長方形のガラス製容器に入れ、密閉して測定を行った。
【００３７】
上記表３乃至表６の試験結果から明らかな通り、桐（白木）及び焼桐（表面を焼いた桐材）はマイナスイオンを放出する。つまり、白木の桐材で形成した組子３、表面を焼いた桐材で形成した簀子４から放出されたマイナスイオンにより、その効果と言われる疲労回復、リラクゼーション、血行促進、頭痛・不眠症・便秘の改善等の等を通じて使用者の健康増進に寄与することが期待できる。
【００３８】
併せて、組子３の下に配置された簀子４は、組子３を載置して支えているので、組子が破損しにくい。
【００３９】
ベッドフレーム２は、表面にプレポリマー塗料（寿化工株式会社製品）を塗布してあるので傷が付きにくく、また、桐材の木目が表面に現れるので見た目が良い。また、シーツ等に炭化した桐材の汚れが付きにくい。
【００４０】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００４１】
【図１】本発明に係るベッドの斜視説明図。
【図２】本発明に係るベッドの平面図。
【図３】本発明に係るベッドの底面図。
【図４】本発明に係るベッドの右側面図。
【図５】本発明に係るベッドの正面図。
【図６】本発明に係るベッドの背面図。
【図７】本発明に係るベッドのＡ−Ａ断面図。
【図８】本発明に係るベッドのＢ−Ｂ断面図。
【符号の説明】
【００４２】
１      ベッド
２      ベッドフレーム
２１０  ヘッドボード
２１１  突設部
２２０  サイドフレーム
２２１  突設部
２３０  フットボード
２３１  突設部
３      組子
３１０  外枠
３２０  格子枠
４      簀子
４１０  上面板
４２０  脚部
【図１】
2007044169.tif 000009
【図２】
2007044169.tif 000010
【図３】
2007044169.tif 000011
【図４】
2007044169.tif 000012
【図５】
2007044169.tif 000013
【図６】
2007044169.tif 000014
【図７】
2007044169.tif 000015
【図８】
2007044169.tif 000016